(57)【要約】      （修正有）【課題】両手で叩くことにより音を出す打楽器をフットペダルにより演奏を行うことができるようにして、打楽器の演奏のバリエーションを増大させるフットペダルアダプタを提供する。【解決手段】打楽器本体の下端部に着脱可能に取り付けられ、床面上に載置されるベースプレートと、ベースプレートに設けられた打楽器本体保持部と、打楽器本体保持部に設けられたフットペダル装置を固定しうるフットペダル固定部とを備える。【選択図】図１
0003158678.tif 000002
【実用新案登録請求の範囲】
【請求項１】
箱状の打楽器本体に着脱可能に固定され、上記打楽器本体を叩くためのフットペダル装置が着脱可能に固定されることを特徴とする打楽器のフットペダルアダプタ。
【請求項２】
全体細長板状に形成されると共に上記打楽器本体の下端部に着脱可能に取り付けられ、床面上に載置されるベースプレートと、上記ベースプレートの一端部に設けられた上記打楽器本体固定部と、他端部に設けられた上記打楽器本体保持部と、上記打楽器本体保持部に設けられたフットペダル装置を固定しうるフットペダル固定部とを備えたことを特徴とする請求項１記載の打楽器のフットペダルアダプタ。
【請求項３】
上記打楽器本体固定部は、上記打楽器本体保持部との間に配置された打楽器本体を上記打楽器本体保持部に対して押圧することにより打楽器本体を上記ベースプレートに固定するように構成されていることを特徴とする請求項２記載の打楽器のフットペダルアダプタ。
【請求項４】
上記打楽器本体固定部は、上記ベースプレートの一端部に形成され、上方へ折曲された第一の折曲片部と、上記第一の折曲片部に設けられ、上記打楽器本体の背面部に当接する押圧板を有するボルト部材とを備えると共に、
上記打楽器本体保持部は、上記折曲片部に対向して形成され、上方へ折曲形成され、上記打楽器本体の正面部に当接する第二の折曲片部により形成され、上記フットペダル固定部は、上記第二の折曲片部の外面部に上下方向にスライド可能に設けられたスライド片部と、上記スライド片部の下端部に外方へ突出して形成されたフットペダル固定片部とを備えていることを特徴とする請求項３記載の打楽器のフットペダルアダプタ。
【請求項５】
上記打楽器本体はカホンであることを特徴とする請求項４記載の打楽器のフットペダルアダプタ。
【考案の詳細な説明】
【技術分野】
【０００１】
本考案は、打楽器のフットペダルアダプタに関する。
【背景技術】
【０００２】
カホンという楽器がスペインのフラメンコの演奏に使用されている。
このカホンという楽器は、本来は、南米・ペルーの民族楽器といわれている。カホンは、木製の直方体の中空箱状に形成され、演奏者はその上に腰掛け、手で直方体のカホンの正面又は側面の板部を叩くことにより演奏を行うが、叩く部位によって、バス音やスネア音を発生させることができ、ドラムセットの代わりに使用することができる打楽器として、現在、ライブハウスでの演奏や、ストリートミュージシャンには広く愛用されている。
【０００３】
しかしながら、このようなカホンを一人で演奏する際には、カホン奏者は両手でカホンの側面板部を叩きながら様々な音を出すことから、カホンを演奏しながらさらに、他の楽器を同時に演奏することは不可能であった。
従って、一人で演奏する場合に、カホンのリズム音に他の打楽器の音を乗せるようにして演奏することができれば演奏の幅が広がり、よりカホンの演奏の興趣を広げることができる。
【０００４】
そこで、従来より、カホンの演奏をより興趣に富むものにし、演奏のバリエーションを増やすことが要請されていた。
【考案の開示】
【考案が解決しようとする課題】
【０００５】
本考案は上記要請に応えるものであり、その課題は、両手で叩くことにより音を出す打楽器をフットペダルアダプタにより演奏を行うことができるようにして、同時に手で別の楽器を演奏できるようにして、打楽器の演奏のバリエーションを増大させ、打楽器演奏の興趣を増やすことにある。
【課題を解決するための手段】
【０００６】
そこで、請求項１記載の考案にあっては、箱状の打楽器本体に着脱可能に固定され、上記打楽器本体を叩くためのフットペダル装置が着脱可能に固定されることを特徴とする。
【０００７】
従って、請求項１記載の考案にあっては、演奏者は、上記打楽器本体に着脱可能に固定されたフットペダル装置を使用して足で上記箱状の打楽器を叩き演奏することができる。
【０００８】
請求項２記載の考案にあっては、全体細長板状に形成されると共に上記打楽器本体の下端部に着脱可能に取り付けられ、床面上に載置されるベースプレートと、上記ベースプレートの一端部に設けられた上記打楽器本体固定部と、他端部に設けられた上記打楽器本体保持部と、上記打楽器本体保持部に設けられたフットペダル装置を固定しうるフットペダル固定部とを備えたことを特徴とする。
【０００９】
従って、請求項２記載の考案にあっては、上記打楽器本体は、上記ベースプレート上において打楽器本体固定部と打楽器本体保持部との間に固定されて床面上に載置され、上記フットペダル装置を使用してバスドラムのように打楽器本体の音色を出す。
【００１０】
請求項３記載の考案にあっては、上記打楽器本体固定部は、上記打楽器本体保持部との間に配置された打楽器本体を上記打楽器本体保持部に対して押圧することにより打楽器本体を上記ベースプレートに固定するように構成されていることを特徴とする。
【００１１】
請求項４記載の考案にあっては、上記打楽器本体固定部は、上記ベースプレートの一端部に形成され、上方へ折曲された第一の折曲片部と、上記第一の折曲片部に設けられ、上記打楽器本体の背面部に当接する押圧板を有するボルト部材とを備えると共に、上記打楽器本体保持部は、上記折曲片部に対向して形成され、上方へ折曲形成され、上記打楽器本体の正面部に当接する第二の折曲片部により形成され、上記フットペダル固定部は、上記第二の折曲片部の外面部に上下方向にスライド可能に設けられたスライド片部と、上記スライド片部の下端部に外方へ突出して形成されたフットペダル固定片部とを備えていることを特徴とする
従って、請求項４記載の考案にあっては、上記打楽器本体は、上記第一の折曲片部と上記第二の折曲片部との間に固定され、上記フットペダル固定部は、上記第二の折曲片部に固定される。
【００１２】
請求項５記載の考案にあっては、上記打楽器本体はカホンであることを特徴とする。
【考案の効果】
【００１３】
請求項１〜５記載の考案にあっては、両手で叩くことにより音を出す打楽器をフットペダルアダプタにより演奏を行うことができるようにして、演奏者の両手を自由にし、演奏のバリエーションを増大させ、打楽器演奏の興趣を増やすことができる。
即ち、本考案に係る打楽器のフットペダルアダプタを利用することにより、足を使って打楽器を演奏することができるため、両手で他の楽器を同時に演奏することができ、一人で複数の楽器を同時に演奏することができることから、演奏のバリエーションを広げることができる。
【００１４】
請求項２及び３記載の考案にあっては、本考案に係る打楽器のフットペダルアダプタは着脱可能に形成されていることから、打楽器本体への装着部位を適宜変更することができる。
その結果、例えば、箱状に形成された打楽器の幅方向の中間部位にフットペダルアダプタを取り付けた場合には、フットペダルに接続されるビーターは箱状の打楽器本体の幅方向略真中を叩くことから低いバス音を出すことができ、また、幅方向端部寄りにフットペダルアダプタを取り付けた場合には、やや高いスネア音を出すことができる。
従って、取り付け部位を調整することにより発生する音の種類を変更することが可能となる。
【００１５】
請求項５記載の考案にあっては、特に、カホンを一人で演奏する場合に足でカホンを演奏すると共に、両手を使って他の楽器を同時に演奏することが可能となるため、カホンの演奏の幅を広げることができ、カホンの演奏の興趣をさらに広げることが可能となる。
【図面の簡単な説明】
【００１６】
【図１】本考案の一実施の形態に係る打楽器のフットペダルアダプタを示す斜視図である。
【図２】本考案の一実施の形態に係る打楽器のフットペダルアダプタが適用される打楽器本体を示す斜視図である。
【図３】本考案の一実施の形態に係る打楽器のフットペダルアダプタを打楽器本体に取り付け、フットペダルを装着して床面に設置した状態を示す側面図である。
【考案を実施するための最良の形態】
【００１７】
以下、添付図面に示す実施の形態に基づき本考案をカホンに適用する場合を例に詳細に説明する。
図１〜図３に示すように、本実施の形態に係る打楽器のフットペダルアダプタ１０は、箱状の打楽器本体であるカホン１１に着脱可能に固定され、上記カホン１１を叩くためのフットペダル装置２５が着脱可能に固定されるように構成されている。
【００１８】
即ち、全体細長板状に形成されると共に上記カホン１１の下端部に着脱可能に取り付けられ、床面２９上に載置されるベースプレート１２と、上記ベースプレート１２の一端部に設けられた上記打楽器本体固定部１３と、他端部に設けられた上記打楽器本体保持部１４と、上記打楽器本体保持部１４に設けられたフットペダル装置を固定しうるフットペダル固定部１５とを備えている。
【００１９】
上記打楽器本体固定部１３は、上記打楽器本体保持部１４との間に配置されたカホン１１を上記打楽器本体保持部１４に対して押圧することによりカホン１１を上記ベースプレート１２に固定するように構成されている。
上記打楽器本体固定部１３は、上記ベースプレート１２の一端部に形成され、上方へ略直角に折曲された第一の折曲片部１６と、上記第一の折曲片部１６に設けられ、上記カホン１１の背面部に当接する押圧板１７を有するボルト部材１８とを備えている。
【００２０】
また、上記打楽器本体保持部１４は、上記第一の折曲片部１６に対向して形成され、上方へ略直角に折曲形成され、上記カホン１１の正面部に当接する第二の折曲片部２２により形成されている。上記第二の折曲片部２２は第一の折曲片部１６よりも大きな長さ寸法の長方形状に形成されている。
上記フットペダル固定部１５は、上記第二の折曲片部１８の外面部１９に上下方向にスライド可能に設けられたスライド片部２０と、上記スライド片部２０の下端部に外方へ突出して形成されたフットペダル固定片部２１とを備えている。
上記スライド片部２０は、第二の折曲片部２２と略同一の大きさの長方形状に形成されており、上記長さ方向に沿って長孔２７が開設されており、この長孔２７内には、上記第二の折曲片部２２の長さ方向に沿って２個設けられた固定ネジ部２８、２８が挿通して配置されている。
【００２１】
本実施の形態に係る打楽器のフットペダルアダプタ１０を使用してカホン１１を演奏する場合には、カホン１１の背面部２３の下端部に上記打楽器本体固定部１３の押圧板１７を当接させると共に、カホン１１の前面部２４の下端部に打楽器本体保持部１４の第二の折曲片部２２を当接させて、ボルト部材１８を締めることによりベースプレート１２をカホン１１の下面部に固定させる。
その後、バスドラムに使用するフットペダル装置２５を上記フットペダル固定部１５に固定させる。
【００２２】
この場合、カホン１１を使用してバスドラム類似の低音のドラム音を発生させようとする場合には、カホン１１の前面部２４の幅方向中央に上記ベースプレート１２を固定する。この場合には、フットペダル装置２５のビーター２６がカホン１１の幅方向中央部を叩くことから振幅の大きい低音のドラム音を発生させることができる。
【００２３】
また、カホン１１を使用してスネアドラム類似の高音のドラム音を発生させようとする場合には、カホン１１の前面部２４の幅方向の端部に上記ベースプレート１２を固定する。この場合には、フットペダル装置２５のビーター２６がカホン１１の幅方向の端部を叩くことから振幅の小さい高音のドラム音を発生させることができる。
【００２４】
また、本実施の形態にあっては、フットペダル固定部１５は第二の折曲片部２２に沿って上下方向に移動可能に形成されていることから、フットペダル固定片部２１を上下動させ、床面２９からの高さ位置を変更することができるように構成されていることから、市販の様々なフットペダル装置２５に適合させることができる。  
【産業上の利用可能性】
【００２５】
本考案は、広く両手を使って音を発生させる打楽器に適用することができる。
【符号の説明】
【００２６】
１０  打楽器のフットペダルアダプタ
１１  打楽器本体（カホン）
１２  ベースプレート
１３  打楽器本体固定部
１４  打楽器本体保持部
１５  フットペダル固定部
１６  第一の折曲片部
１７  押圧板
１８  ボルト部材
１９  外面部
２０  スライド片部
２１  フットペダル固定片部
２２  第二の折曲片部
２３  背面部
２４  前面部
２５  フットペダル装置
２６  ビーター
２７  長孔
２８  固定ネジ
２９  床面
【図１】
0003158678.tif 000003
【図２】
0003158678.tif 000004
【図３】
0003158678.tif 000005
【手続補正書】
【提出日】平成22年2月4日(2010.2.4)
【手続補正１】
【補正対象書類名】実用新案登録請求の範囲
【補正対象項目名】全文
【補正方法】変更
【補正の内容】
【実用新案登録請求の範囲】
【請求項１】
箱状の打楽器本体に着脱可能に固定され、上記打楽器本体を叩くためのフットペダル装置が着脱可能に固定されることを特徴とする打楽器のフットペダルアダプタであって、
上記打楽器本体の下端部に着脱可能に取り付けられ、床面上に載置されるベースプレートと、上記ベースプレートに設けられた打楽器本体保持部と、上記打楽器本体保持部に設けられたフットペダル装置を固定しうるフットペダル固定部とを備えたことを特徴とする打楽器のフットペダルアダプタ。
【請求項２】
上記ベースプレートは全体細長板状に形成され、上記ベースプレートの長さ方向一端部には上記打楽器本体固定部が設けられると共に、上記ベースプレートの長さ方向他端部には上記打楽器本体保持部が設けられていることを特徴とする請求項１記載の打楽器のフットペダルアダプタ。
【請求項３】
上記打楽器本体固定部は、上記打楽器本体保持部との間に配置された打楽器本体を上記打楽器本体保持部に対して押圧することにより打楽器本体を上記ベースプレートに固定するように構成されていることを特徴とする請求項２記載の打楽器のフットペダルアダプタ。
【請求項４】
上記打楽器本体固定部は、上記ベースプレートの一端部に形成され、上方へ折曲された第一の折曲片部と、上記第一の折曲片部に設けられ、上記打楽器本体の背面部に当接する押圧板を有するボルト部材とを備えると共に、
上記打楽器本体保持部は、上記折曲片部に対向して形成され、上方へ折曲形成され、上記打楽器本体の正面部に当接する第二の折曲片部により形成され、上記フットペダル固定部は、上記第二の折曲片部の外面部に上下方向にスライド可能に設けられたスライド片部と、上記スライド片部の下端部に外方へ突出して形成されたフットペダル固定片部とを備えていることを特徴とする請求項３記載の打楽器のフットペダルアダプタ。
【請求項５】
上記打楽器本体はカホンであることを特徴とする請求項４記載の打楽器のフットペダルアダプタ。